(57)【要約】【課題】  既存のカードケースに適用可能であり、カードの取出が容易となるカード取出器具を提供する。【解決手段】  カード取出器具１００は、カードケース４０内の底辺４２に当接し、カード３０の法線方向を軸方向としてカード取出器具１００が回動する支点となる支点部５ａ、５ｂと、カード３０の上辺３２よりも突出し、カード取出器具１００を回動させるための力を付与する力点となる力点部８と、カード３０の下辺３１を支持し、カード取出器具１００の回動に連動して回動する作用点となる作用点部とを備える。【選択図】  図３
2010274418.tif 000002
【特許請求の範囲】
【請求項１】
カードの一部を露出させるために上辺が開口した袋状のカードケースに適用されるカード取出器具であって、
前記カードケース内に前記カードとともに収納された場合に、前記カードケース内の底辺に当接し、前記カードの法線方向を軸方向として当該カード取出器具が回動する支点となる支点部と、
前記カードケース内に前記カードとともに収納された場合に、前記カードの上辺よりも突出し、当該カード取出器具を回動させるための力を付与する力点となる力点部と、
前記カードケース内に前記カードとともに収納された場合に、前記カードの下辺を支持し、当該カード取出器具の回動に連動して回動する作用点となる作用点部とを備えることを特徴とするカード取出器具。
【請求項２】
請求項１において、
前記カードケース内に収納された場合に、前記カードケース内の底辺または側辺に当接して当該カード取出器具がカード取出方向とは逆方向に回動することを抑制するストッパを備えることを特徴とするカード取出器具。
【請求項３】
請求項１および２のいずれか１項において、
前記カードを挟む２枚の板状部材で構成されており、
前記カードの挿入側となる前記板状部材の先端が、前記２つの板状部材が離れる方向に開口するように、前記２つの板状部材の一方または両方に折り目が形成されていることを特徴とするカード取出器具。
【請求項４】
請求項１ないし３のいずれか１項において、
前記力点部の付近に孔または凹凸が形成されていることを特徴とするカード取出器具。
【請求項５】
請求項１ないし４のいずれか１項において、
前記力点部の付近の厚みを他の部分よりも大きくしたことを特徴とするカード取出器具。
【発明の詳細な説明】
【技術分野】
【０００１】
本発明は、カードケースからカードを取り出すためのカード取出器具に関する。
【背景技術】
【０００２】
従来、カードケースからカードを容易に取り出す技術としては、例えば、特許文献１記載のカードケースが知られている。
【０００３】
特許文献１記載のカードケースは、外・内二層体を組み合わせ１セットとして構成し、その二層体にそれぞれ上向きの咬合面と下向きの抱持面を相互に遊嵌し、昇降運動機能を設ける。次に、カード群を抱持面に納置しておき、そのなかから所望のカードを取り出すには、索引用つまみを上向きに引けばカード群が持ち上がり、カード表面積の半分以上が露出することになるため、軽くワンタッチでカードをえり抜き取り出すことができる仕組みになっている。
【先行技術文献】
【特許文献】
【０００４】
【特許文献１】特開２００６−１１０９６７号公報
【発明の概要】
【発明が解決しようとする課題】
【０００５】
しかしながら、特許文献１記載のカードケースにあっては、外・内二層体を組み合わせ１セットとして構成し、その二層体にそれぞれ上向きの咬合面と下向きの抱持面を相互に遊嵌する構成となっているため、既存のカードケース（そのような構成となっていないカードケース）に適用することが困難であるという問題があった。また、カードを取り出すには、索引用つまみを摘み、上向きに引くという２つの動作が必要となるため、カードの取出が容易ではないという問題もあった。
【０００６】
そこで、本発明は、このような従来の技術の有する未解決の課題に着目してなされたものであって、既存のカードケースに適用可能であり、カードの取出が容易となるカード取出器具を提供することを目的としている。
【課題を解決するための手段】
【０００７】
〔発明１〕  上記目的を達成するために、発明１のカード取出器具は、カードの一部を露出させるために上辺が開口した袋状のカードケースに適用されるカード取出器具であって、前記カードケース内に前記カードとともに収納された場合に、前記カードケース内の底辺に当接し、前記カードの法線方向を軸方向として当該カード取出器具が回動する支点となる支点部と、前記カードケース内に前記カードとともに収納された場合に、前記カードの上辺よりも突出し、当該カード取出器具を回動させるための力を付与する力点となる力点部と、前記カードケース内に前記カードとともに収納された場合に、前記カードの下辺を支持し、当該カード取出器具の回動に連動して回動する作用点となる作用点部とを備える。
【０００８】
このような構成であれば、カード取出器具がカードケース内にカードとともに収納されている場合に、カードを取り出すには、カードの上辺よりも突出している力点部に水平方向の力を付与することにより力点部を水平方向にスライドさせる。力点部をスライドさせると、カードケース内の底辺に当接している支点部を中心に、カードの法線方向を軸方向としてカード取出器具が回動する。カードの下辺は、作用点部により支持されているため、カード取出器具の回動に連動して作用点部が回動すると、作用点部によりカードが持ち上げられる。
【０００９】
〔発明２〕  さらに、発明２のカード取出器具は、発明１のカード取出器具において、前記カードケース内に収納された場合に、前記カードケース内の底辺または側辺に当接して当該カード取出器具がカード取出方向とは逆方向に回動することを抑制するストッパを備える。
【００１０】
このような構成であれば、カード取出器具がカードケース内に収納されている場合に、カード取出器具をカード取出方向とは逆方向に回動する力が付与されると、ストッパがカードケース内の底辺または側辺に当接し、カード取出方向とは逆方向に回動することが抑制される。
【００１１】
〔発明３〕  さらに、発明３のカード取出器具は、発明１および２のいずれか１のカード取出器具において、前記カードを挟む２枚の板状部材で構成されており、前記カードの挿入側となる前記板状部材の先端が、前記２つの板状部材が離れる方向に開口するように、前記２つの板状部材の一方または両方に折り目が形成されている。
【００１２】
このような構成であれば、折り目が形成されている板状部材の先端に内側からカードを押し当てると、２つの板状部材が離れる方向に板状部材の先端が開口するので、カードを収納しやすい。
【００１３】
〔発明４〕  さらに、発明４のカード取出器具は、発明１ないし３のいずれか１のカード取出器具において、前記力点部の付近に孔または凹凸が形成されている。
【００１４】
このような構成であれば、力点部の付近の孔または凹凸にカードの先端や指を引っかけてカード取出器具を引き上げ、カードを収納することができる。
【００１５】
〔発明５〕  さらに、発明５のカード取出器具は、発明１ないし４のいずれか１のカード取出器具において、前記力点部の付近の厚みを他の部分よりも大きくした。
【００１６】
このような構成であれば、力点部の付近が厚くなっているので、力点部に力を付与した場合に指を痛めにくい。
【発明の効果】
【００１７】
以上説明したように、発明１のカード取出器具によれば、カードケースに収納するだけでよいので、既存のカードケースに適用することができるという効果が得られる。また、力点部をスライドさせるだけでカードが取り出せるので、従来に比して、カードの取出が容易となるという効果が得られる。
【００１８】
さらに、発明２のカード取出器具によれば、カード取出器具をカード取出方向とは逆方向に回動する力が付与されると、ストッパがカードケース内の底辺または側辺に当接し、カード取出方向とは逆方向に回動することが抑制されるので、カードを取り出した後にカード取出器具がカードケース内に埋没し、カードを再び収納しにくくなる可能性を低減することができるという効果が得られる。
【００１９】
さらに、発明３のカード取出器具によれば、折り目が形成されている板状部材の先端に内側からカードを押し当てると、２つの板状部材が離れる方向に板状部材の先端が開口するので、カードを収納しやすいという効果が得られる。
【００２０】
さらに、発明４のカード取出器具によれば、力点部の付近の孔または凹凸にカードの先端や指を引っかけてカード取出器具を引き上げ、カードを収納することができるので、カードを収納しやすいという効果が得られる。
【００２１】
さらに、発明５のカード取出器具によれば、力点部の付近が厚くなっているので、力点部に力を付与した場合に指を痛めにくいという効果が得られる。
【図面の簡単な説明】
【００２２】
【図１】カード取出器具１００の構成を示す図である。
【図２】カード取出器具１００の斜視図である。
【図３】カードケース４０内にカード３０とともに収納された場合のカード取出器具１００の構成を示す図である。
【図４】カード取出器具１００の動作を説明するための図である。
【図５】カード取出器具１００の構成を示す図である。
【図６】カード取出器具１００の動作を説明するための図である。
【図７】カード取出器具１００の構成を示す図である。
【図８】カード取出器具１００の動作を説明するための図である。
【図９】３枚のカード３０を収納可能なカードケース４０に適用した場合を示す図である。
【図１０】カード取出器具１００の構成を示す図である。
【発明を実施するための形態】
【００２３】
〔第１の実施の形態〕
以下、本発明の第１の実施の形態を図面を参照しながら説明する。図１ないし図４は、本発明に係るカード取出器具の第１の実施の形態を示す図である。
【００２４】
まず、本実施の形態に係るカード取出器具１００の構成を説明する。
図１は、カード取出器具１００の構成を示す図である。図１（ａ）は、カード取出器具１００の正面図である。図１（ｂ）は、図１（ａ）中のＡ−Ａ’線に沿った断面図である。図１（ｃ）は、カード取出器具１００の背面図である。
【００２５】
図２は、カード取出器具１００の斜視図である。
図３は、カードケース４０内にカード３０とともに収納された場合のカード取出器具１００の構成を示す図である。図３（ａ）は、カード取出器具１００の正面図である。図３（ｂ）は、図３（ａ）中のＢ−Ｂ’線に沿った断面図である。図３（ｃ）は、カード取出器具１００の背面図である。
【００２６】
カード取出器具１００は、図１〜図３に示すように、プラスチック等からなるコの字型の板状部材であって、五角形状の表板１と、底板２と、五角形状の裏板３とを有して構成されている。
【００２７】
カードケース４０は、カード３０の一部を露出させるために上辺４１が開口した袋状となっている。カード３０は、表板１と裏板３との間に挟持され、カードケース４０に収納される。カード３０の下辺３１は、底板２により支持される。
【００２８】
表板１は、図１（ａ）、（ｂ）に示すように、底板２に沿って底板２の両端を水平に結ぶ底辺４ａと、底辺４ａの左端に形成された支点部５ａとを有して構成されている。
【００２９】
底辺４ａの長さは、カード３０の幅のほぼ半分となっている。
支点部５ａは、図３（ａ）に示すように、カード取出器具１００がカードケース４０内にカード３０とともに収納された場合に、カードケース４０内の底辺４２に当接し、てこの原理により、カード３０の法線方向を軸方向としてカード取出器具１００が回動する支点となる。支点部５ａは、カード取出器具１００を回動しやすくするため、角が丸められている。
【００３０】
表板１は、さらに、図１（ａ）に示すように、底辺４ａの右端６ａから右斜めに立ち上がる斜辺７ａと、斜辺７ａの上端に形成された力点部８とを有して構成されている。
【００３１】
斜辺７ａは、力点部８をスライドしやすくするため、カード３０の右端からカード３０の幅の約１／５のところに力点部８の右端が位置するように内角の角度が設定されている。具体的に、斜辺７ａの内角の角度は、幅が８５[mm]のカードに対しては１１０°〜１２０°であり、好ましくは１１５°である。
【００３２】
力点部８は、図３（ａ）に示すように、カード取出器具１００がカードケース４０内にカード３０とともに収納された場合に、カード３０の上辺３２よりも突出し、カード取出器具１００を回動させるための力を付与する力点となる。力点部８は、力点部８に力を付与した場合に指を痛めないように、角が丸められている。
【００３３】
表板１は、さらに、支点部５ａから右斜めに立ち上がる斜辺９ａと、斜辺９ａの上端から折れ曲がり斜辺９ａよりも緩やかな傾斜角で右斜めに立ち上がる斜辺１０ａと、斜辺１０ａの上端および力点部８を水平に結ぶ上辺１１ａとを有して構成されている。
【００３４】
裏板３は、図１（ｃ）に示すように、底辺４ａに対向する底辺４ｂと、支点部５ａに対向する支点部５ｂとを有して構成されている。
【００３５】
支点部５ｂは、図３（ｃ）に示すように、カード取出器具１００がカードケース４０内にカード３０とともに収納された場合に、カードケース４０内の底辺４２に当接し、カード取出器具１００が回動する支点となる。支点部５ｂは、カード取出器具１００を回動しやすくするため、角が丸められている。
【００３６】
裏板３は、さらに、図１（ｃ）に示すように、斜辺７ａに対向する斜辺７ｂを有して構成されている。
【００３７】
斜辺７ｂは、底辺４ｂの左端６ｂから斜辺７ａに沿って延長し、斜辺７ａの途中に対応する位置から折れ曲がり右斜めに立ち上がる斜辺１２の下端に接続している。
【００３８】
裏板３は、さらに、斜辺９ａに対向する斜辺９ｂと、斜辺１０ａに対向する斜辺１０ｂと、斜辺１０ｂの上端および斜辺１２の上端を水平に結ぶ上辺１１ｂとを有して構成されている。
【００３９】
底板２は、底板２の一端であって、底辺４ａの右端６ａに対応する位置に形成された作用点部（不図示）を有して構成されている。
【００４０】
作用点部は、図３（ａ）に示すように、カード取出器具１００がカードケース４０内にカード３０とともに収納された場合に、カード３０の下辺３１を支持し、カード取出器具１００の回動に連動して回動する作用点となる。
【００４１】
次に、本実施の形態の動作を説明する。
図４は、カード取出器具１００の動作を説明するための図である。図４（ａ）は、カード３０を収納した状態を示す図である。図４（ｂ）は、カード３０を取り出した状態を示す図である。
【００４２】
図４（ａ）に示すように、カード取出器具１００がカードケース４０内にカード３０とともに収納されている場合に、カード３０を取り出すには、カード３０の上辺３２よりも突出している力点部８に対し、カード３０の上辺３２に沿って左方向の力を付与することにより力点部８を左方向にスライドさせる。力点部８をスライドさせると、図４（ｂ）に示すように、カードケース４０内の底辺４２に当接している支点部５ａ、５ｂを中心にカード取出器具１００が反時計回りに回動する。カード３０の両側辺がカードケース４０の内側辺に拘束され、カード３０の下辺３１が底板２の作用点部により支持されているため、カード取出器具１００の回動に連動して作用点部が回動すると、作用点部によりカード３０が真上に持ち上げられる。このとき、底辺４ａの長さがカード３０の幅のほぼ半分となっているので、カード３０の下辺３１の中央付近を支持することができる。そのため、カード３０をバランスよく持ち上げることができる。
【００４３】
カード３０が持ち上がった後は、カード３０を摘んで取り出す。このとき、表板１には、図４（ｂ）に示すように、斜辺９ａの上端から折れ曲がり斜辺９ａよりも緩やかな傾斜角で右斜めに立ち上がる斜辺１０ａが形成されているので、斜辺９ａがカードケース４０内の内側辺に当接するまで力点部８をスライドさせた状態でも、斜辺１０ａの左方からカード３０の左上部分が露出する。そのため、カード３０の両端を摘んで取り出すことができるので、カード３０を取り出しやすい。
【００４４】
カード３０を再び収納する場合は、表板１と裏板３との間にカード３０を挿入し、カード３０を下方に押し下げる。このとき、裏板３には、図３（ｃ）に示すように、斜辺７ａの途中に対応する位置から折れ曲がり右斜めに立ち上がる斜辺１２が形成されているので、力点部８およびその下部の裏面に裏板３が存在しない。そのため、裏板３が存在しない力点部８およびその下部にカード３０を押し当てると、表板１と裏板３との間が開き、表板１と裏板３との間にカード３０を容易に挿入することができるので、カード３０を収納しやすい。また、表板１には、図４（ｂ）に示すように、斜辺９ａの上端から折れ曲がり斜辺９ａよりも緩やかな傾斜角で右斜めに立ち上がる斜辺１０ａが形成されているので、斜辺９ａがカードケース４０内の内側辺に当接するまで力点部８をスライドさせた状態でも、斜辺１０ａの左方からカード３０の左上部分が露出する。そのため、カード取出器具１００を挟んでカード３０を両側から押し下げることができるので、カード３０を収納しやすい。
【００４５】
カード３０を押し下げると、カードケース４０内の底辺４２に当接している支点部５ａ、５ｂを中心にカード取出器具１００が時計回りに回動し、初期位置（図４（ａ）の状態）に戻る。
【００４６】
このようにして、本実施の形態では、カード取出器具１００は、カードケース４０内の底辺４２に当接し、カード取出器具１００が回動する支点となる支点部５ａ、５ｂと、カード３０の上辺３２よりも突出し、カード取出器具１００を回動させるための力を付与する力点となる力点部８と、カード３０の下辺３１を支持し、カード取出器具１００の回動に連動して回動する作用点となる作用点部とを備える。
【００４７】
これにより、カード取出器具１００をカードケース４０に収納するだけでよいので、既存のカードケースに適用することができる。また、力点部８をスライドさせるだけでカード３０が取り出せるので、従来に比して、カード３０の取出が容易となる。
【００４８】
さらに、本実施の形態では、底辺４ａの長さは、カード３０の幅のほぼ半分となっている。
【００４９】
これにより、カード３０の下辺３１の中央付近を支持することができるので、カード３０をバランスよく持ち上げることができる。
【００５０】
さらに、本実施の形態では、斜辺７ａは、カード３０の右端からカード３０の幅の約１／５のところに力点部８の右端が位置するように内角の角度が設定されている。
【００５１】
これにより、力点部８をスライドしやすくなる。
さらに、本実施の形態では、表板１には、斜辺９ａの上端から折れ曲がり斜辺９ａよりも緩やかな傾斜角で右斜めに立ち上がる斜辺１０ａが形成されている。
【００５２】
これにより、斜辺９ａがカードケース４０内の内側辺に当接するまで力点部８をスライドさせた状態でも、カード３０の両端を摘んで取り出すことができるので、カード３０を取り出しやすい。また、片手でも取り出すことができる。さらに、斜辺９ａがカードケース４０内の内側辺に当接するまで力点部８をスライドさせた状態でも、カード取出器具１００を挟んでカード３０を両側から押し下げることができるので、カード３０を収納しやすい。
【００５３】
さらに、本実施の形態では、裏板３には、斜辺７ａの途中に対応する位置から折れ曲がり右斜めに立ち上がる斜辺１２が形成されている。
【００５４】
これにより、裏板３が存在しない力点部８およびその下部にカード３０を押し当てると、表板１と裏板３との間が開き、表板１と裏板３との間にカード３０を容易に挿入することができるので、カード３０を収納しやすい。また、片手でも収納することができる。したがって、片手で取出および収納が可能となるので、片手により出し入れの連続動作を行うことができる。
【００５５】
さらに、本実施の形態では、支点部５ａ、５ｂは、角が丸められている。
これにより、カード取出器具１００を回動しやすくなる。
【００５６】
さらに、本実施の形態では、力点部８は、角が丸められている。
これにより、力点部８に力を付与した場合に指を痛めにくい。
【００５７】
〔第２の実施の形態〕
次に、本発明の第２の実施の形態を図面を参照しながら説明する。図５および図６は、本発明に係るカード取出器具の第２の実施の形態を示す図である。なお、以下、第１の実施の形態と異なる部分についてのみ説明し、重複する部分については同一の符号を付して説明を省略する。
【００５８】
まず、本実施の形態に係るカード取出器具１００の構成を説明する。
図５は、カード取出器具１００の構成を示す図である。図５（ａ）は、カード取出器具１００の正面図である。図５（ｂ）は、図５（ａ）中のＣ−Ｃ’線に沿った断面図である。図５（ｃ）は、カード取出器具１００の背面図である。
【００５９】
表板１には、図５に示すように、カード取出器具１００がカードケース４０内に収納された場合に、カードケース４０内の底辺４２に当接してカード取出器具１００がカード取出方向とは逆方向（時計回り）に回動することを抑制するストッパ１３が形成されている。
【００６０】
ストッパ１３は、図５（ａ）に示すように、作用点部に対応する位置から右方に突出して形成されている。ストッパ１３は、三角形状となっている。ストッパ１３の底辺は、底辺４ａと一直線上に形成されている。また、ストッパ１３の斜辺は、斜辺７ａの途中に接続されている。
【００６１】
裏板３には、図５（ｂ）、（ｃ）に示すように、カード３０の挿入側となる裏板３の先端（上辺１１ｂ側の先端）が、表板１および裏板３が離れる方向に開口するように、折り目１４が形成されている。
【００６２】
次に、本実施の形態の動作を説明する。
図６は、カード取出器具１００の動作を説明するための図である。図６（ａ）は、カード３０を取り出した状態を示す図である。図６（ｂ）は、カード取出器具１００を収納した状態を示す図である。
【００６３】
図６（ａ）に示すように、カード３０が持ち上がった後は、カード３０を摘んで取り出す。
【００６４】
カード３０を取り出した後は、図６（ｂ）に示すように、カード取出器具１００を時計回りに回動し、カードケース４０内に収納する。このとき、カード３０を再び収納しやすくするため、カード取出器具１００は、初期位置に戻しておくことが好ましい。カード取出器具１００にはストッパ１３が形成されているので、初期位置に戻した後さらに、カード取出器具１００をカード取出方向とは逆方向に回動する力が付与されても、ストッパ１３がカードケース４０内の底辺４２に当接し、カード取出方向とは逆方向に回動することが抑制される。
【００６５】
カード３０を再び収納する場合は、折り目１４が形成されている裏板３の先端に内側からカード３０を押し当てると、表板１および裏板３が離れる方向に裏板３の先端が開口する。そして、表板１と裏板３との間にカード３０を挿入し、カード３０を下方に押し下げる。
【００６６】
このようにして、本実施の形態では、表板１には、カードケース４０内に収納された場合に、カードケース４０内の底辺４２に当接してカード取出器具１００がカード取出方向とは逆方向に回動することを抑制するストッパ１３が形成されている。
【００６７】
これにより、カード取出器具１００をカード取出方向とは逆方向に回動する力が付与されると、ストッパ１３がカードケース４０内の底辺４２に当接し、カード取出方向とは逆方向に回動することが抑制されるので、カード３０を取り出した後にカード取出器具１００がカードケース４０内に埋没し、カード３０を再び収納しにくくなる可能性を低減することができる。
【００６８】
さらに、本実施の形態では、裏板３には、カード３０の挿入側となる裏板３の先端が、表板１および裏板３が離れる方向に開口するように、折り目１４が形成されている。
【００６９】
これにより、裏板３の先端に内側からカード３０を押し当てると、表板１および裏板３が離れる方向に裏板３の先端が開口するので、カード３０を収納しやすい。
【００７０】
本実施の形態において、表板１および裏板３は、発明３の板状部材に対応している。
〔第３の実施の形態〕
次に、本発明の第３の実施の形態を図面を参照しながら説明する。図７および図８は、本発明に係るカード取出器具の第３の実施の形態を示す図である。なお、以下、第１の実施の形態と異なる部分についてのみ説明し、重複する部分については同一の符号を付して説明を省略する。
【００７１】
まず、本実施の形態に係るカード取出器具１００の構成を説明する。
図７は、カード取出器具１００の構成を示す図である。図７（ａ）は、カード取出器具１００の正面図である。図７（ｂ）は、図７（ａ）中のＤ−Ｄ’線に沿った断面図である。図７（ｃ）は、カード取出器具１００の背面図である。
【００７２】
表板１には、図７に示すように、力点部８の付近に円形状の孔１５が形成されている。孔１５は、貫通孔として形成してもよいし、底がある孔として形成してもよい。
【００７３】
次に、本実施の形態の動作を説明する。
図８は、カード取出器具１００の動作を説明するための図である。図８（ａ）は、カード取出器具１００がカードケース４０内に埋没した状態を示す図である。図８（ｂ）は、カード取出器具１００を初期位置に戻した状態を示す図である。
【００７４】
カード取出器具１００を初期位置に戻した後さらに、カード取出器具１００をカード取出方向とは逆方向に回動する力が付与されると、図８（ａ）に示すように、カード取出器具１００が初期位置よりも時計回りに回動し、カードケース４０内に埋没することがある。このような場合であっても、孔１５の一部がカードケース４０の上辺４１から露出するので、図８（ｂ）に示すように、孔１５にカード３０の先端や指を引っかけてカード取出器具１００を引き上げ、初期位置に戻すことができる。
【００７５】
このようにして、本実施の形態では、力点部８の付近に孔１５が形成されている。
これにより、孔１５にカード３０の先端や指を引っかけてカード取出器具１００を引き上げ、カード３０を収納することができるので、カード３０を収納しやすい。
【００７６】
なお、第１ないし第３の実施の形態においては、１枚のカード３０を収納可能なカードケース４０に適用したが、これに限らず、複数枚のカード３０を収納可能なカードケース４０に適用することもできる。
【００７７】
図９は、３枚のカード３０を収納可能なカードケース４０に適用した場合を示す図である。
【００７８】
最上段および最下段のカードケース４０には、図９に示すように、図１（ａ）と同様のカード取出器具１００が収納されている。また、２段目のカードケース４０には、図１（ａ）のカード取出器具１００を左右反転させた形状のカード取出器具１００が収納されている。このように、奇数段目と偶数段目でカード取出器具１００の向きを交互に反転させることにより、力点部８の突出位置が左右交互となるので、各段のカード３０が取り出しやすくなる。
【００７９】
また、最上段のカードケース４０に収納されるカード取出器具１００は、他の段のカードケース４０に収納されるカード取出器具１００よりも高さを低く設定することが好ましい。これにより、カードケース４０全体を図９の上辺で折り畳んだ場合に、カード取出器具１００が折り曲げ部に引っかかりにくい。
【００８０】
また、第２の実施の形態においては、底辺４ａと一直線上に底辺が形成されたストッパ１３を形成したが、これに限らず、図１０に示すように、ストッパを形成することもできる。
【００８１】
図１０は、カード取出器具１００の構成を示す図である。図１０（ａ）は、カード取出器具１００の正面図である。図１０（ｂ）は、図１０（ａ）中のＥ−Ｅ’線に沿った断面図である。図１０（ｃ）は、カード取出器具１００の背面図である。
【００８２】
表板１には、図１０に示すように、カード取出器具１００がカードケース４０内に収納された場合に、カードケース４０内の側辺に当接してカード取出器具１００がカード取出方向とは逆方向に回動することを抑制するストッパ１３ａが形成されている。
【００８３】
ストッパ１３ａは、図１０（ａ）に示すように、作用点部に対応する位置から右方に突出して形成されている。ストッパ１３ａは、三角形状となっている。ストッパ１３ａの底辺は、作用点部に対応する位置から右斜めに立ち上がっている。また、ストッパ１３ａの斜辺は、斜辺７ａの途中に接続されている。
【００８４】
また、第２の実施の形態において、折り目１４は、裏板３に形成したが、これに限らず、表板１に形成することもできるし、表板１および裏板３の両方に形成することもできる。
【００８５】
また、第３の実施の形態においては、力点部８の付近に孔１５を形成したが、これに限らず、力点部８の付近に凹凸を形成することもできる。凹凸は一つだけでなく、波状に複数形成してもよい。
【００８６】
これにより、凹凸にカード３０の先端や指を引っかけてカード取出器具１００を引き上げ、カード３０を収納することができるので、カード３０を収納しやすい。
【００８７】
また、第１ないし第３の実施の形態においては、力点部８の角を丸めて構成したが、これに代えてまたはこれに加えて、力点部８の付近の厚みを他の部分よりも大きくしてもよい。
【００８８】
これにより、力点部８の付近が厚くなっているので、力点部８に力を付与した場合に指を痛めにくい。
【００８９】
また、第１ないし第３の実施の形態において、カード取出器具１００は、プラスチック等で構成したが、これに限らず、金属、塩化ビニル樹脂その他の材料で構成することもできる。また、複数種の材料を組み合わせて構成することもできる。例えば、表板１は金属で構成し、裏板３は塩ビで構成する。
【００９０】
また、第１ないし第３の実施の形態において、カード取出器具１００は、コの字型の板状部材で構成したが、これに限らず、底板２の幅を極めて小さくし、Ｖ字型の板状部材で構成することもできる。
【００９１】
また、第１ないし第３の実施の形態においては、図１（ａ）、図７（ａ）に示すように、カード取出器具１００を五角形状として構成したが、これに限らず、支点部５ａ、５ｂ、力点部８および作用点部を有し、てこの原理によりカード３０を持ち上げる構成であれば、任意の形状とすることができる。例えば、図５（ａ）、図１０（ａ）の形状のほか、Ｌ字型形状、逆Ｔ字型形状、三角形状、四角形状、六角形以上の多角形状とすることができる。また、図９に示すように、左右対称の形状とすることもできる。また、表板１と裏板２の形状の組み合わせは、任意とすることができる。
【００９２】
また、第１ないし第３の実施の形態においては、本発明をカードケース４０に適用したが、これに限らず、本発明の主旨を逸脱しない範囲で他の場合にも適用可能である。カードを収納可能な物品であれば、例えば、財布、カードケース、カードホルダ、手帳、カバン、ポーチその他の物品に適用することができる。
【符号の説明】
【００９３】
１００…カード取出器具、  １…表板、  ２…底板、  ３…裏板、  ４ａ、４ｂ、４２…底辺、  ５ａ、５ｂ…支点部、  ６ａ…右端、  ６ｂ…左端、  ７ａ、７ｂ、９ａ、９ｂ、１０ａ、１０ｂ、１２…斜辺、  ８…力点部、  １１ａ、１１ｂ、３２、４１…上辺、  １３、１３ａ…ストッパ、  １４…折り目、  １５…孔、  ３０…カード、  ３１…下辺、  ４０…カードケース
【図１】
2010274418.tif 000003
【図２】
2010274418.tif 000004
【図３】
2010274418.tif 000005
【図４】
2010274418.tif 000006
【図５】
2010274418.tif 000007
【図６】
2010274418.tif 000008
【図７】
2010274418.tif 000009
【図８】
2010274418.tif 000010
【図９】
2010274418.tif 000011
【図１０】
2010274418.tif 000012